(57)【要約】【課題】  現用演算装置の動作を停止させることなく、更新用演算装置の運用試験を実行することが可能な運用試験用システムおよびこれに利用するデータ転送方法を提供する。【解決手段】  実施形態によれば、運用試験用システムは、中継装置と第１ルータと第２ルータとを有する。中継装置は、管理装置から受信した管理データをコピーして２つの管理データとし、送信元、宛先をそれぞれ異なるダミーのＩＰアドレスに置換して第１ルータと第２ルータに送出する。第１ルータは、送信元、宛先を元のＩＰアドレスに置換して現用演算装置に送信する。第２ルータは、送信元、宛先を元のＩＰアドレスに置換して更新用演算装置に送信する。【選択図】図１
2012195673.tif 000002
【特許請求の範囲】
【請求項１】
運用中の現用演算装置に接続された第１ルータと、更新後のアプリケーションが搭載されている新たな更新用演算装置に接続された第２ルータと、これらの第１ルータおよぶ第２ルータに接続されるとともに、前記現用演算装置および前記更新用演算装置とデータの送受信を行う管理装置にＩＰネットワークを介して接続された中継装置とを備え、前記管理装置には第１ＩＰアドレスが割り振られ、前記現用演算装置および前記更新演算装置には同一の第２ＩＰアドレスが割り振られた運用試験用システムであって、
前記中継装置は、
前記第２ＩＰアドレスが割り振られた第１ポートと、
転送用のダミーのＩＰアドレスである第３ＩＰアドレスが割り振られた第２ポートと、
前記第１ポートから、送信元ＩＰアドレスを前記第１ＩＰアドレスとし、宛先ＩＰアドレスを前記第２ＩＰアドレスとする管理データを受信したときに、この管理データをコピーして同一の第１管理データおよび第２管理データとし、この第１管理データの送信元ＩＰアドレスをダミーの送信元ＩＰアドレスである第３ＩＰアドレスに置換するとともに、宛先ＩＰアドレスをダミーの宛先ＩＰアドレスである第４ＩＰアドレスに置換して前記第２ポートから送出し、第２管理データの送信元ＩＰアドレスを前記第３ＩＰアドレスに置換するとともに、宛先ＩＰアドレスをダミーの宛先ＩＰアドレスである第５ＩＰアドレスに置換して前記第２ポートから送出し、
前記第２ポートから、送信元ＩＰアドレスを前記第４ＩＰアドレスとし、宛先ＩＰアドレスを前記第３ＩＰアドレスとする現用演算装置データを受信したときに、この現用演算装置データの送信元ＩＰアドレスを前記第２ＩＰアドレスに置換するとともに、宛先ＩＰアドレスを前記第１ＩＰアドレスに置換して前記第１ポートから送出し、送信元ＩＰアドレスを前記第５ＩＰアドレスとし、宛先ＩＰアドレスを前記第３ＩＰドレスとする更新用演算装置データを受信したときに、この更新用演算装置データの送信元ＩＰアドレスを前記第２ＩＰアドレスに置換するとともに、宛先ＩＰアドレスを前記第１ＩＰアドレスに置換して前記第１ポートから送出するアドレス置換部とを有し、
前記第１ルータは、
前記中継装置から送出された第１管理データを取得し、取得した第１管理データのダミーの送信元ＩＰアドレスである第３ＩＰアドレスを前記第１ＩＰアドレスに置換するとともに、ダミーの宛先ＩＰアドレスである第４ＩＰアドレスを前記２アドレスに置換して前記現用演算装置に送信し、
前記現用演算装置から、送信元ＩＰアドレスを前記第２ＩＰアドレスとし、宛先ＩＰアドレスを前記第１ＩＰアドレスとする現用演算装置データを受信したときに、受信した現用演算装置データの送信元ＩＰアドレスを前記第４ＩＰアドレスに置換するとともに宛先ＩＰアドレスを前記第３ＩＰアドレスに置換して前記中継装置に送出する送信部を有し、
前記第２ルータは、
前記中継装置から送出された第２管理データを取得し、取得した第２管理データのダミーの送信元ＩＰアドレスである第３ＩＰアドレスを前記第１ＩＰアドレスに置換するとともに、ダミーの宛先ＩＰアドレスである第５ＩＰアドレスを前記２アドレスに置換して前記更新用演算装置に送信し、
前記更新用演算装置から、送信元ＩＰアドレスを前記第２ＩＰアドレスとし、宛先ＩＰアドレスを前記第１ＩＰアドレスとする現用演算装置データを受信したときに、受信した現用演算装置データの送信元ＩＰアドレスを前記第５ＩＰアドレスに置換するとともに宛先ＩＰアドレスを前記第３ＩＰアドレスに置換して前記中継装置に送出する送信部を有する、
ことを特徴とする運用試験用システム。
【請求項２】
前記中継装置には、前記第２ポートから受信された前記現用演算装置データおよび前記更新用演算装置データのうち、どちらを正規のデータとして扱うデータかを示す情報が予め設定され、
前記中継装置は、前記設定された情報に基づいて、正規のデータとして扱うデータを選択し、選択したデータの送信元ＩＰアドレスおよび宛先ＩＰアドレスを置換して前記第１ポートから送出する
ことを特徴とする請求項１に記載の運用試験用システム。
【請求項３】
運用中の現用演算装置に接続された第１ルータと、更新後のアプリケーションが搭載されている新たな更新用演算装置に接続された第２ルータと、これらの第１ルータおよぶ第２ルータに接続されるとともに、前記現用演算装置および前記更新用演算装置とデータの送受信を行う管理装置にＩＰネットワークを介して接続された中継装置とを備え、前記管理装置には第１ＩＰアドレスが割り振られ、前記現用演算装置および前記更新演算装置には同一の第２ＩＰアドレスが割り振られた運用試験用システムの、
前記中継装置が、
前記第２ＩＰアドレスが割り振られた第１ポートから、送信元ＩＰアドレスを前記第１ＩＰアドレスとし、宛先ＩＰアドレスを前記第２ＩＰアドレスとする管理データを受信したときに、この管理データをコピーして同一の第１管理データおよび第２管理データとし、この第１管理データの送信元ＩＰアドレスをダミーの送信元ＩＰアドレスである第３ＩＰアドレスに置換するとともに、宛先ＩＰアドレスをダミーの宛先ＩＰアドレスである第４ＩＰアドレスに置換して、前記第３ＩＰアドレスが割り振られた第２ポートから送出し、第２管理データの送信元ＩＰアドレスを前記第３ＩＰアドレスに置換するとともに、宛先ＩＰアドレスをダミーの宛先ＩＰアドレスである第５ＩＰアドレスに置換して前記第２ポートから送出し、
前記第１ルータが、
前記中継装置から送出された第１管理データを取得し、取得した第１管理データのダミーの送信元ＩＰアドレスである第３ＩＰアドレスを前記第１ＩＰアドレスに置換するとともに、ダミーの宛先ＩＰアドレスである第４ＩＰアドレスを前記２アドレスに置換して前記現用演算装置に送信し、
前記第２ルータが、
前記中継装置から送出された第２管理データを取得し、取得した第２管理データのダミーの送信元ＩＰアドレスである第３ＩＰアドレスを前記第１ＩＰアドレスに置換するとともに、ダミーの宛先ＩＰアドレスである第５ＩＰアドレスを前記２アドレスに置換して前記更新用演算装置に送信し、
前記第１ルータが、
前記現用演算装置から、送信元ＩＰアドレスを前記第２ＩＰアドレスとし、宛先ＩＰアドレスを前記第１ＩＰアドレスとする現用演算装置データを受信したときに、受信した現用演算装置データの送信元ＩＰアドレスを前記第４ＩＰアドレスに置換するとともに宛先ＩＰアドレスを前記第３ＩＰアドレスに置換して前記中継装置に送出し、
前記第２ルータが、
前記更新用演算装置から、送信元ＩＰアドレスを前記第２ＩＰアドレスとし、宛先ＩＰアドレスを前記第１ＩＰアドレスとする現用演算装置データを受信したときに、受信した現用演算装置データの送信元ＩＰアドレスを前記第５ＩＰアドレスに置換するとともに宛先ＩＰアドレスを前記第３ＩＰアドレスに置換して前記中継装置に送出し、
前記中継装置は、
前記第２ポートから、送信元ＩＰアドレスを前記第４ＩＰアドレスとし、宛先ＩＰアドレスを前記第３ＩＰアドレスとする現用演算装置データを受信したときに、この現用演算装置データの送信元ＩＰアドレスを前記第２ＩＰアドレスに置換するとともに、宛先ＩＰアドレスを前記第１ＩＰアドレスに置換して前記第１ポートから送出し、
送信元ＩＰアドレスを前記第５ＩＰアドレスとし、宛先ＩＰアドレスを前記第３ＩＰドレスとする更新用演算装置データを受信したときに、この更新用演算装置データの送信元ＩＰアドレスを前記第２ＩＰアドレスに置換するとともに、宛先ＩＰアドレスを前記第１ＩＰアドレスに置換して前記第１ポートから送出する
ことを特徴とする運用試験用システムに利用するデータ転送方法。
【請求項４】
前記中継装置には、前記第２ポートから受信された前記現用演算装置データおよび前記更新用演算装置データのうち、どちらを正規のデータとして扱うデータかを示す情報が予め設定され、
前記中継装置は、前記設定された情報に基づいて、正規のデータとして扱うデータを選択し、選択したデータの送信元ＩＰアドレスおよび宛先ＩＰアドレスを置換して前記第１ポートから送出する
ことを特徴とする請求項３に記載の運用試験用システムに利用するデータ転送方法。
【発明の詳細な説明】
【技術分野】
【０００１】
本発明の実施形態は、運用試験用システムおよびこれに利用するデータ転送方法に関する。
【背景技術】
【０００２】
運用中の演算装置における演算処理結果をネットワークで接続された管理装置で受信して管理するシステムにおいて、演算装置に搭載されたアプリケーションを更新するため、更新後のアプリケーションを搭載した新たな演算装置を別に用意し、管理装置との接続をこれに切り替えて運用を継続することがある。
【０００３】
この場合、新たな演算装置が正常に稼働するかどうかを管理装置で確認する運用試験を行う必要があるが、この運用試験が長期間に渡る場合、その間当該演算装置の運用が停止しまうという問題があった。
【先行技術文献】
【特許文献】
【０００４】
【特許文献１】特開平１１−２４２６０７号公報
【発明の概要】
【発明が解決しようとする課題】
【０００５】
この演算装置の運用の停止を避けるため、更新後のアプリケーションを搭載した新たな演算装置の運用試験をオフラインで行うことが考えられるが、その場合、この新たな演算装置の演算処理結果を管理者が手動で管理装置に入力しなければならず、処理が煩雑になるという問題があった。
【０００６】
また、運用中の演算装置と新たな演算装置との双方から管理装置で演算処理結果を受信してそれぞれ運用中データ、試験中データとして別個に管理することが考えられるが、ＩＰネットワークで構築されたシステムを利用している場合、これらの演算装置に別のＩＰアドレスを割り当てることになるため、管理装置側にも更新切り替え時に通信先の再設定を行う必要があるとともにさらに運用試験が必要となり、処理が煩雑になるという問題があった。
【０００７】
本発明は上記事情に鑑みてなされたものであり、演算装置とこの演算装置の処理を管理する管理装置がＩＰネットワークで接続されたシステムにおいて、運用中の演算装置の動作を停止させることなく、更新切り替えのための新たな演算装置の運用試験を実行することが可能な運用試験用システムおよびこれに利用するデータ転送方法を提供することを目的とする。
【課題を解決するための手段】
【０００８】
上記目的を達成するための実施形態によれば、運用試験用システムは、中継装置と第１ルータと第２ルータとを有する。中継装置は、管理装置から受信した管理データをコピーして２つの管理データとし、送信元、宛先をそれぞれ異なるダミーのＩＰアドレスに置換して第１ルータと第２ルータに送出する。第１ルータは、送信元、宛先を元のＩＰアドレスに置換して現用演算装置に送信する。第２ルータは、送信元、宛先を元のＩＰアドレスに置換して更新用演算装置に送信する。
【図面の簡単な説明】
【０００９】
【図１】従来の管理システムの構成を示すブロック図である。
【図２】一実施形態による運用試験用システムの構成を示すブロック図である。
【図３】一実施形態による運用試験用システムの管理データの送信処理の動作を示すシーケンス図である。
【図４】一実施形態による運用試験用システムの演算データの送信処理の動作を示すシーケンス図である。
【図５】一実施形態による運用試験用システムにおいて置換される各データの送信元、宛先ＩＰアドレスを示す説明図である。
【発明を実施するための形態】
【００１０】
本発明の一実施形態として、図１に示すように、運用中の現用演算装置１０が管理装置２０にＬＡＮスイッチ３０を介してＩＰネットワークで接続されている管理システムに、現用演算装置１０に搭載されているアプリケーションを更新するために更新後のアプリケーションが搭載されている新たな更新用演算装置４０を用意し、現用演算装置１０の運用を継続しながら管理装置２０により更新用演算装置４０の運用試験を行うための運用試験用システムについて説明する。
【００１１】
〈一実施形態による管理システムの構成〉
本発明の一実施形態による運用試験用システムを利用した管理システム１の構成について、図２を参照して説明する。
【００１２】
本実施形態による管理システム１は、運用中の現用演算装置１０と、管理装置２０と、更新用演算装置４０と、管理装置２０にＬＡＮスイッチ３０を介して接続されるとともに現用演算装置１０および更新用演算装置４０に接続された運用試験用システム５０とを有する。この管理システム１内では、ＩＰネットワークにより相互に通信を行うために、管理装置２０には第１のＩＰアドレス：Ａ１（以下、「Ａ１アドレス」とする。）が割り当てられ、現用演算装置１０および更新用演算装置４０には同一の第２のＩＰアドレス：Ａ２（以下、「Ａ２アドレス」とする。）が割り当てられている。
【００１３】
管理装置２０は、現用演算装置１０および更新用演算装置４０と、運用試験用システム５０、ＬＡＮスイッチ３０を介して通信を行い、現用演算装置１０および更新用演算装置４０に管理データを送信するとともに現用演算装置１０および更新用演算装置４０から演算結果データを受信し管理する。
【００１４】
運用試験用システム５０は、管理装置２０に接続された中継装置５１と、現用演算装置１０に接続された第１ルータ５２と、更新用演算装置４０に接続された第２ルータ５３と、中継装置５１と第１ルータ５２および第２ルータ５３とを接続するＬＡＮスイッチ５４とを有する。
【００１５】
中継装置５１は、第１ポート５１ａと、アドレス置換部５１ｂと、第２ポート５１ｃとを有する。
【００１６】
第１ポート５１ａは、Ａ２アドレスが設定され、管理装置２０（Ａ１アドレス）とのデータの送受信を行う。
【００１７】
アドレス置換部５１ｂは、第１ポート５１ａから受信された管理データＸをコピーして同一の２つの管理データｘ1、ｘ2を生成する。そして、管理データｘ1の送信元ＩＰアドレスであるＡ１アドレスを、第３のＩＰアドレスであるダミーの送信元ＩＰアドレス：Ｃ１（以下、「Ｃ１アドレス」とする。）に置換し、宛先ＩＰアドレスであるＡ２アドレスを、第４のＩＰアドレスであるダミーの宛先ＩＰアドレス：Ｃ２（以下、「Ｃ２アドレス」とする。）に置換する。また、管理データｘ2の送信元ＩＰアドレスであるＡ１アドレスをＣ１アドレスに置換し、宛先ＩＰアドレスであるＡ２アドレスを、第５のＩＰアドレスであるダミーの宛先ＩＰアドレス：Ｃ３（以下、「Ｃ３アドレス」とする。）に置換する。第２ポート５１ｃから演算データｙ1、ｙ2を受信したときには、この逆のアドレス置換処理を行う。このＣ１アドレス、Ｃ２アドレス、およびＣ３アドレスは、ＩＰネットワーク上の同一セグメントのアドレスとする。
【００１８】
第２ポート５１ｃは、Ｃ１アドレスが設定され、ＬＡＮスイッチ５４を介して第１ルータ５２、５３とのデータの送受信を行う。
【００１９】
第１ルータ５２は、中継装置５１から送出された管理データｘ1のダミーの送信元ＩＰアドレスであるＣ１アドレスを、管理装置２０のＩＰアドレスであるＡ１アドレスに置換するとともに、ダミーの宛先ＩＰアドレスであるＣ２アドレスをＡ２アドレスに置換し、現用演算装置１０に送信する。現用演算装置１０から演算データｙ1を受信したときには、この逆のアドレス置換処理を行う。
【００２０】
また第２ルータ５３は、中継装置５１から送出された管理データｘ2のダミーの送信元ＩＰアドレスであるＣ１アドレスを、管理装置２０のＩＰアドレスであるＡ１アドレスに置換するとともに、ダミーの宛先ＩＰアドレスであるＣ３アドレスをＡ２アドレスに置換し、更新用演算装置４０に送信する。更新用演算装置４０から演算データｙ2を受信したときには、この逆のアドレス置換処理を行う。
【００２１】
〈一実施形態による管理システムの動作〉
次に、本実施形態による管理システムの動作について、図３〜図５を参照して説明する。図３は、Ａ１アドレスが割り当てられた管理装置からＡ２アドレスが割り当てられた現用演算装置１０および更新用演算装置４０に管理データが送信されるときの運用試験用システム５０の動作を示すシーケンス図であり、図４は、この現用演算装置１０および更新用演算装置４０から管理装置２０に演算データが送信されるときの運用試験用システム５０の動作を示すシーケンス図であり、図５は、これらの動作により置換される各データのＩＰアドレスを示す説明図である。
【００２２】
まず図３に示すように、Ａ１アドレスが割り当てられた管理装置２０からＡ２アドレスが割り当てられた現用演算装置１０に対し、送信元ＩＰアドレスをＡ１アドレスとし、宛先ＩＰアドレスをＡ２アドレスとする管理データＸが送信され、これがＬＡＮスイッチ３０を介して運用試験用システム５０の中継装置５１の、Ａ２アドレスが割り当てられた第１ポート５１ａから受信される（Ｓ１）。
【００２３】
第１ポート５１ａから受信された管理データＸは、中継装置５１のアドレス置換部５１ｂにおいてコピーされ、同一の２つの管理データｘ1、ｘ2が生成される（Ｓ２）。
【００２４】
そして、図５に示すようにアドレス置換部５１ｂにおいて、この管理データｘ1の送信元ＩＰアドレスであるＡ１アドレスが、ダミーの送信元ＩＰアドレスであるＣ１アドレスに置換され、宛先ＩＰアドレスであるＡ２アドレスが、ダミーの宛先ＩＰアドレスであるＣ２アドレスに置換される。また、管理データｘ2の送信元ＩＰアドレスであるＡ１アドレスが、Ｃ１アドレスに置換され、宛先ＩＰアドレスであるＡ２アドレスが、第５のＩＰアドレスであるダミーの宛先ＩＰアドレスであるＣ３アドレスに置換される（Ｓ３）。
【００２５】
次に、アドレス置換部５１ｂにおいてアドレスが置換された管理データｘ1が、Ｃ１アドレスが割り振られた第２ポート５１ｃからＬＡＮスイッチ５４を介して第１ルータ５２に送出され、管理データｘ2が、第２ポート５１ｃからＬＡＮスイッチ５４を介して第２ルータ５３に送出される（Ｓ４）。
【００２６】
第１ルータ５２では、中継装置５１から送出された管理データｘ1が取得され、この管理データｘ1のダミーの送信元ＩＰアドレスであるＣ１アドレスが、管理装置２０のＩＰアドレスであるＡ１アドレスに置換されるとともに、ダミーの宛先ＩＰアドレスであるＣ２アドレスがＡ２アドレスに置換される（Ｓ５）。
【００２７】
このようにアドレスが置換された管理データｘ1は、第１ルータ５２から現用演算装置１０に送信される（Ｓ６）。
【００２８】
また第２ルータでは、中継装置５１から送出された管理データｘ2が取得され、この管理データｘ2のダミーの送信元ＩＰアドレスであるＣ１アドレスが、管理装置２０のＩＰアドレスであるＡ１アドレスに置換されるとともに、ダミーの宛先ＩＰアドレスであるＣ３アドレスがＡ２アドレスに置換される（Ｓ７）。
【００２９】
このようにアドレスが置換された管理データｘ2は、第２ルータ５３から更新用演算装置４０に送信される（Ｓ８）。
【００３０】
このように運用試験用システム５０で処理が行われることにより、管理装置２０から特定のＩＰアドレス（Ａ２アドレス）宛てに送信された管理データが、現用演算装置１０および更新用演算装置４０の双方で受信することが可能になる。
【００３１】
また、受信した管理データに対する応答として、現用演算装置１０および更新用演算装置４０から管理装置２０に演算データが送信されるときには、図４に示すように、まずＡ２アドレスが割り当てられた現用演算装置１０からＡ１が割り当てられた管理装置に対し、送信元ＩＰアドレスをＡ２アドレスとし、宛先ＩＰアドレスをＡ１アドレスとする演算データｙ1が送信され、Ａ２アドレスが割り当てられた更新用演算装置４０からもＡ１が割り当てられた管理装置に対し、送信元ＩＰアドレスをＡ２アドレスとし、宛先ＩＰアドレスをＡ１アドレスとする演算データｙ2が送信される。
【００３２】
現用演算装置１０から送信された演算データｙ1は、運用試験用システム５０の第１ルータ５２で受信される（Ｓ１１）。
【００３３】
第１ルータ５２で受信された演算データｙ1は、この第１ルータ５２において、演算データｙ1の送信元ＩＰアドレスであるＡ２アドレスが、ダミーの送信元ＩＰアドレスであるＣ２アドレスに置換され、宛先ＩＰアドレスであるＡ１アドレスが、ダミーの宛先ＩＰアドレスであるＣ１アドレスに置換される（Ｓ１２）。第１ルータ５２においてアドレスが置換された演算データｙ1は、ＬＡＮスイッチ５４を介して中継装置５１に送出される（Ｓ１３）。
【００３４】
一方、更新用演算装置４０から送信された演算データｙ2は、運用試験用システム５０の第２ルータ５３で受信される（Ｓ１４）。
【００３５】
第２ルータ５３で受信された演算データｙ2は、この第２ルータ５３において、演算データｙ2の送信元ＩＰアドレスであるＡ２アドレスが、ダミーの送信元ＩＰアドレスであるＣ３アドレスに置換され、宛先ＩＰアドレスであるＡ１アドレスが、ダミーの宛先ＩＰアドレスであるＣ１アドレスに置換される（Ｓ１５）。第２ルータ５３においてアドレスが置換された演算データｙ2は、ＬＡＮスイッチ５４を介して中継装置５１に送出される（Ｓ１６）。
【００３６】
中継装置５１では、第１ルータ５２から送出された演算データｙ1、および第２ルータ５３から送出された演算データｙ2が、第２ポート５１ｃから受信される（Ｓ１７）。
【００３７】
そして、予め中継装置５１に設定された情報に基づいて、受信された演算データｙ1および演算データｙ2のうち、正規のデータとして扱う方のデータが選択される（Ｓ１８）。
【００３８】
ここでは、更新用演算装置４０は運用試験中であることが設定されており、現用演算装置１０から送信された演算データｙ1のほうが正規のデータとして選択される。
【００３９】
正規のデータとして判断された演算データｙ1は、中継装置５１のアドレス置換部５１ｂにおいて、この演算データｙ1のダミーの送信元ＩＰアドレスであるＣ２アドレスが、現用演算装置１０のＩＰアドレスであるＡ２アドレスに置換されるとともに、ダミーの宛先ＩＰアドレスであるＣ１アドレスがＡ１アドレスに置換される（Ｓ１９）。
【００４０】
アドレスが置換された演算データｙ1は、中継装置５１の第１ポート５１ａから管理装置２０に送信される（Ｓ２０）。
【００４１】
このように運用試験用システム５０で処理が行われることにより、管理装置２０から特定のＩＰアドレス（Ａ２アドレス）宛てに送信された管理データに基づいて現用演算装置１０および更新用演算装置４０の双方で演算処理された演算データが算出されて応答され、管理装置２０においては現用演算装置１０から正規のデータが受信可能であるとともに更新用演算装置４０においても運用試験を実行することが可能になる。
【００４２】
上記のステップＳ１８において、予め中継装置５１に、受信された演算データｙ2が正規のデータとして設定されているとき、または演算データｙ2が運用試験用のデータとして管理装置２０に送信することが設定されているときは、中継装置５１のアドレス置換部５１ｂにおいて、この演算データｙ2のダミーの送信元ＩＰアドレスであるＣ３アドレスが、現用演算装置１０のＩＰアドレスであるＡ２アドレスに置換されるとともに、ダミーの宛先ＩＰアドレスであるＣ１アドレスがＡ１アドレスに置換され、中継装置５１の第１ポート５１ａから管理装置２０に送信される。
【００４３】
以上の本実施形態により、運用中の現用演算装置の動作を停止させることなく、更新演算装置において運用試験を実行することができ、また現用演算装置１０と更新用演算装置４０とは同一のＩＰアドレスが割り当てられているため、更新用演算装置４０においては現用演算装置１０と同一のＩＰアドレス宛てのデータに対する運用試験を行うことができ、効率良く精度の高い運用試験を行うことができる。
【００４４】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置換し、変更を行うことができる。この実施形態やその変形は、発明の範囲や要旨に含まれるとともに、特許請求の範囲に記載された発明とその均等の範囲に含まれる。
【符号の説明】
【００４５】
１…管理システム
１０…現用演算装置
２０…管理装置
３０…ＬＡＮスイッチ
４０…更新用演算装置
５０…運用試験用システム
５１…中継装置
５１ａ…第１ポート
５１ｂ…アドレス置換部
５１ｃ…第２ポート
５２…第１ルータ
５３…第２ルータ
５４…ＬＡＮスイッチ
【図１】
2012195673.tif 000003
【図２】
2012195673.tif 000004
【図３】
2012195673.tif 000005
【図４】
2012195673.tif 000006
【図５】
2012195673.tif 000007